(57)【要約】【課題】印刷機の新しい運転方法を提供する。【解決手段】複数の印刷装置を備える印刷機、特に枚葉紙印刷機の運転方法に関するものであり、各印刷装置には一つの圧胴（３）、一つの転写胴（２）、一つの版胴（１）、一つのインキ装置（４）および場合によっては一つの湿し装置（５）が備わっており、また、これら印刷装置の少なくとも一つには、 特にニスびき装置として構成された一つの追加作業装置（１０）が組み込まれており、それぞれの印刷装置は第１運転モードにおいては、インキ装置（４）が選択された状態において被印刷物の印刷に用いられ、または第２運転モードにおいては、インキ装置（４）が選択解除された状態において被印刷物の追加作業、特にニスびきに用いられる。本発明によると、第２運転モードにおいては、インキ装置（４）および場合によっては湿し装置（５）は駆動側で接続解除および停止される。【選択図】図1
2007050697.tif 000002
【特許請求の範囲】
【請求項１】
複数の印刷装置を備える印刷機、特に枚葉紙印刷機の運転方法であって、
各印刷装置には一つの圧胴（３）、一つの転写胴（２）、一つの版胴（１）、一つのインキ装置（４）および場合によっては一つの湿し装置（５）が備わっており、
これら印刷装置の少なくとも一つには特にニスびき装置として構成された追加作業装置（１０）が組み込まれているが、その印刷装置は、第１運転モードではインキ装置（４）が選択された状態で被印刷物の印刷に、または第２運転モードではインキ装置（４）が選択解除された状態で追加作業、特に被印刷物のニスびきに用いられ、
第２運転モードにおいてインキ装置（４）および場合によっては湿し装置（５）が駆動側で接続解除されて停止されることを特徴とする運転方法。
【請求項２】
請求項１に記載の方法であって、
第１運転モードにおいて圧胴（３）、転写胴（２）、版胴（１）、インキ装置（４）および場合によっては湿し装置（５）が印刷機の主駆動装置を介して駆動され、第２運転モードにおいてインキ装置（４）および場合によっては湿し装置（５）が主駆動装置から接続解除されて停止されることを特徴とする運転方法。
【請求項３】
請求項２に記載の方法であって、
第２運転モードにおいて版胴（１）も主駆動装置から接続解除され、この版胴（１）は停止されるか、または、印刷プレート交換を行うためまたは主駆動装置と同期するために、この主駆動装置に割り当てられた補助駆動装置により駆動されることを特徴とする運転方法。
【請求項４】
請求項１に記載の方法であって、
第１運転モードにおいて圧胴（３）、転写胴（２）、インキ装置（４）および場合によっては湿し装置（５）が印刷機の主駆動装置を介して駆動され、また、版胴（１）は主駆動装置に割り当てられた個別駆動装置または直接駆動装置により駆動され、第２運転モードにおいてはインキ装置（４）および場合によっては湿し装置（５）が主駆動装置から接続解除されて停止されることを特徴とする運転方法。
【請求項５】
請求項４に記載の方法であって、
第２運転モードにおいて版胴（１）も停止されることを特徴とする運転方法。
【請求項６】
請求項１から請求項５の一つまたは複数の請求項に記載の方法であって、
第２運転モードにおいて版胴（１）が転写胴（２）から離れ、また、インキ装置（４）のインキ着けローラ（８）が版胴（１）から離れることを特徴とする運転方法。
【請求項７】
請求項１から請求項６の一つまたは複数の請求項に記載の方法であって、
第１運転モードから第２運転モードへの移行の際、インキ装置（４）および場合によっては湿し装置（５）が自動的に接続解除されて停止されることを特徴とする運転方法。
【請求項８】
請求項１から請求項７の一つまたは複数の請求項に記載の方法であって、
第１運転モードから第２運転モードへの移行の際、版胴（１）が自動的に転写胴（２）から離れ、インキ装置（４）のインキ着けローラ（８）も自動的に版胴（１）から離れることを特徴とする運転方法。
【発明の詳細な説明】
【技術分野】
【０００１】
本発明は、請求項１前段に記載された、印刷機、特に枚葉紙印刷機の運転方法に関するものである。
【背景技術】
【０００２】
枚葉紙印刷機には複数の印刷装置があり、これら印刷装置の中を枚葉紙形状の被印刷物が通過し、その際にこれら印刷装置のそれぞれにおいて一つの印刷インキで一つの部分印刷画像が被印刷物上につけられる。枚葉紙印刷機には、これら印刷装置のほかに、別個のモジュールとして構成されたニスユニットも備えることができ、このニスユニットにおいて被印刷物上にニスを塗る。
【０００３】
特許文献１および特許文献２から、ニスびき装置として構成された追加作業装置が組み込まれた枚葉紙印刷機の印刷装置が知られているが、ここで開示された印刷装置は、印刷インキで被印刷物に印刷する第１運転モード、または、被印刷物にニスを塗布する第２運転モードのいずれかで運転できる。第１運転モードにおいては、印刷装置の一つのインキ装置が選択されると、それに対応する印刷インキが、印刷装置の版胴に取り付けられた一つの印刷版につけられる。これに対して第２運転モードでは、それぞれの印刷装置のインキ装置が選択解除されるため、インキ装置により印刷インキがそれぞれの印刷版につけられることはない。
【０００４】
特許文献１および特許文献２によると、第２運転モードで選択解除されたインキ装置は、印刷装置のそれぞれの版胴から離されるが引き続き駆動されるため、インキ装置のローラの損傷を避けるために、インキ装置内に印刷オイルを導き入れる必要がある。後に印刷装置を再び第１運転モードで運転する場合、そのモードでは印刷インキが被印刷物につけられるため、インキ装置から出た印刷オイルは、コストの高いインキ装置洗浄により除去する必要がある。これにより比較的長い設定時間が生じる。第２の運転状態においてインキ装置を駆動するためには引き続きフルの駆動性能が必要であり、そのため一方では損失性能およびもう一方では熱が印刷装置内に生じる。
【特許文献１】独国特許出願公開第１９７２９９８５号明細書
【特許文献２】独国実用新案第２０２００５００３６０７号明細書
【発明の開示】
【発明が解決しようとする課題】
【０００５】
この点を鑑み、本発明の課題は、印刷機の新しい運転方法を提供することである。
【課題を解決するための手段】
【０００６】
この課題は、請求項１に記載の方法により解決できる。本発明では第２運転モードでインキ装置および場合によっては湿し装置が駆動側で接続解除され、停止される。
【発明の効果】
【０００７】
本発明においては、第２運転モードでは少なくとも印刷装置のインキ装置を駆動側で接続解除して停止することを提案している。これにより、駆動性能を節約することができる。少なくともインキ装置を停止することにより、それぞれ一方では損失性能および他方では印刷装置への入熱を最小限に抑えられる。さらに、インキ装置が停止されていると、インキ装置のローラの損傷の危険が最小限に抑えられるため、インキ装置に印刷オイルを入れる必要がない。それにより、後に再び印刷装置を第１運転モードで運転する場合に、印刷装置の設定時間を最小限に抑えられる。
【発明を実施するための最良の形態】
【０００８】
本発明の望ましい発展形態によると、第１運転モードにおいて圧胴、転写胴、版胴、インキ装置および場合によっては湿し装置は、印刷機の主駆動装置により駆動され、第２運転モードにおいては、インキ装置および場合によっては湿し装置は、主駆動装置から接続解除されて停止される。
【０００９】
本発明の望ましい代替発展形態によると、第１運転モードにおいて圧胴、転写胴、インキ装置および場合によっては湿し装置は、印刷機の主駆動装置により駆動され、版胴は、この版胴に割り当てられた個別駆動装置または直接駆動装置により駆動され、第２運転モードにおいては、インキ装置および場合によっては湿し装置は主駆動装置から接続解除されて停止される。
【００１０】
本発明の望ましい発展形態は、従属請求項および以下の説明から理解できる。図を参照して本発明の実施例を説明するが、これに限定されるわけではない。
【００１１】
以下に、図１を参照して本発明を詳しく説明する。
【００１２】
図１は、ある印刷機の一つの印刷装置の範囲の一部分を図示したものであり、その印刷装置のうち、版胴１、転写胴２、圧胴３、インキ装置４および湿し装置５が示されている。示された印刷装置の版胴１の上には少なくとも一つの印刷版、特に印刷プレートが配置されており、そのため、版胴１はプレート胴とも呼ばれる。版胴１に接して転写胴２が回転しており、この転写胴にはゴムブランケットが取り付けられている。この転写胴２はゴム胴とも呼ばれる。転写胴２は圧胴３に接して回転しており、この圧胴は押し胴とも呼ばれる。図１では、版胴１とゴム胴２との間の接触回転ゾーンを記号６で示し、転写胴２と圧胴３との間の接触回転ゾーンを記号７で示している。 
【００１３】
印刷装置のインキ装置４のインキ着けローラ８が図示されているが、これらのインキ着けローラは、インキ装置が選択された状態において版胴１に接して回転する。湿し装置５の水着けローラ９が図示されているが、この水着けローラは、インキ装置が選択された状態および湿し装置が選択された状態において同様に版胴１に接して回転する。
【００１４】
図示された印刷装置には追加作業装置１０も組み込まれており、この装置は、図示された実施例においてはニスびき装置として構成されている。追加作業装置１０には着けローラ１１およびチャンバドクターブレード１２が備わっており、着けローラ１１は転写胴２に接して回転している。ニスはチャンバドクターブレード１２内に準備され、着けローラ１１を介してゴム胴２に伝達される。図示された実施例では、追加作業装置１０は給紙装置側で転写胴２に作用している。しかし、追加作業装置１０はデリバリ側において転写胴２に作用させても差し支えない。
【００１５】
図１に示された印刷装置は、異なる２つの運転モードで運転できる。印刷インキを使って被印刷物を印刷する第１運転モードでは、インキ装置４および湿し装置５が選択され、追加作業装置１０は選択解除される。この第１運転状態においては、インキ着けローラ８および水着けローラ９が版胴１に接して回転し、版胴１は転写胴２に接して、転写胴２は圧胴３に接して回転する。これに対して追加作業装置１０の着けローラ１１は、転写胴２から離れ、この転写胴に接して回転することはない。第２運転モードでは追加作業装置１０が選択され、インキ装置４および湿し装置５は選択解除される。この第２運転モードではインキ着けローラ８および水着けローラ９は版胴１から離れ、また、版胴１も転写胴２から離れる。これに対して追加作業装置１０の着けローラ１１は転写胴２に接触し、この転写胴に接して回転する。
【００１６】
本発明においては、印刷装置の第２運転状態において少なくともインキ装置４を駆動側で接続解除して停止することを提案している。望ましくは第２運転状態においてインキ装置４および湿し装置５は駆動側で接続解除されて停止され、次にインキ着けローラ８および水着けローラ９が版胴１から離れる。
【００１７】
本発明の第１のバリエーションにおいては、第１運転モードにおいて圧胴３、転写胴２、版胴１、インキ装置４および湿し装置５が印刷機の主駆動装置により駆動されるようにできる。第２運転モードにおいては、インキ装置４および湿し装置５は主駆動装置から接続解除されて停止される。版胴１が印刷機の主駆動装置により駆動される場合、第２運転状態において版胴１を主駆動装置から接続解除して停止するようにできる。この場合は版胴１に補助駆動装置が割り当てられる。版胴１が主駆動装置から接続解除された状態において、およびインキ装置および湿し装置が版胴１から離れた状態においては、版胴１の印刷プレート交換を、補助駆動装置を使って行うことができ、しかもこれを追加作業装置１０の運転と平行して行うことができる。
【００１８】
本発明の一つの代替形態によると第１の運転モードにおいては圧胴３、転写胴２、インキ装置４および湿し装置５は印刷機の主駆動装置により駆動されるが、これに対して版胴１は、この版胴に割り当てられた個別駆動装置または直接駆動装置により駆動される。この場合、第２運転モードにおいてはインキ装置４および湿し装置５は主駆動装置から接続解除されて停止され、望ましくは版胴１も、個別駆動装置または直接駆動装置を相応に制御することにより停止される。
【００１９】
２つの代替形態において第２運転状態では、すでに述べたように、インキ装置４のインキ着けローラ８および湿し装置５の水着けローラ９は版胴１から離れ、版胴１は転写胴２から離れる。
【００２０】
本発明においては、第１運転モードから第２運転モードに移行する際の、インキ装置４および湿し装置５の接続解除および停止は自動的に行われる、つまり、印刷機の機械制御装置により制御またはコントロールされる。インキ装置４のインキ着けローラ８および湿し装置５の水着けローラ９を離すことも、機械制御により自動的に行われる。第１運転モードから第２運転モードに移行する際に、版胴１を転写胴２から離すことも、機械制御により自動的に行われる。
【００２１】
逆の方向、つまり第２運転モードから第１運転モードに移行する際も、インキ装置４のインキ着けローラ８および湿し装置５の水着けローラ９を版胴１に接触させることは自動的に行われ、版胴１を転写胴２に接触させるのも同様である。第２運転モードから第１運転モードに移行する際、追加作業装置１０、図示された実施例の着けローラ１１は、機械制御により自動的に転写胴２から離れる。
【００２２】
第２運転状態において、追加作業装置１０は望ましくは印刷機の主駆動装置から駆動され、そのために追加作業装置１０は第２運転状態において駆動側で自動的に主駆動装置に接続される。これに対して第２運転モードから第１運転モードに移行する際には、追加作業装置１０は主駆動装置から接続解除されて停止される。
【００２３】
望ましい実施形態において、追加作業装置１０はニスびき装置として構成されており、追加作業装置の着けローラ１１は転写胴２と協働する。ここで指摘したいのは、この追加作業装置が、版胴１と協働するニスびき装置として構成された実施形態も可能であるということである。そのニスびき装置は、図示されたチャンバドクターブレード・システムではなく、アニロックスローラ・システムとして実施することもできる。
【００２４】
また、追加作業装置は、ミシン目入れ装置またはエンボス加工装置またはスリッティング装置としても実施できる。また、印刷装置に組み込まれた追加作業装置をインクジェット装置とすることもでき、このインクジェット装置は、ゴム胴を介して直接または間接的に、被印刷物または印刷枚葉紙を個別化して印刷できる。
【００２５】
すでに述べたように、印刷装置が第２運転モードにおいて、追加作業装置１０が選択された状態で運転されている場合で、しかも版胴１に自己駆動装置または直接駆動装置または補助駆動装置が割り当てられている場合に、版胴１のプレート交換を自動的に行うことができる。同様に、第２運転モードで、追加作業装置１０が選択された状態において、インキ装置を自動的に洗浄することができる。
【００２６】
最後に、一つの印刷機は、印刷装置に組み込まれた追加作業装置を備えた複数の印刷装置を備えることができ、これら印刷装置のそれぞれは、本発明で記述するように運転できることを指摘しておく。このとき、印刷機の、ある印刷装置にたとえばニスびき装置を、また、ほかの印刷装置にたとえば穿孔装置またはミシン目入れ装置またはインクジェット装置を組み込むことができる。これに関しては任意の組合せが可能である。
【図面の簡単な説明】
【００２７】
【図１】本発明の方法を明確に示すように、印刷機の印刷装置を図示したものである。
【符号の説明】
【００２８】
１  版胴／プレート胴
２  転写胴／ゴム胴 
３  圧胴／押し胴 
４  インキ装置 
５  湿し装置 
６  接触回転ゾーン 
７  接触回転ゾーン 
８  インキ着けローラ 
９  水着けローラ
１０  追加作業装置
１１  着けローラ
１２  チャンバドクターブレード
【図１】
2007050697.tif 000003